(57)【要約】【課題】従動ローラを保持するレバー、このレバーを付勢するばね、及びばねを受けるばね受を有する従動ローラ押圧装置の脱着作業に際し、ばね及びばね受のトラスの内部への落下を防止できる従動ローラ押圧装置の脱着サポート治具の提供。【解決手段】本発明は、エスカレータ１のハンドレール駆動装置９に含まれ、従動ローラ１２ｃをハンドレール３に押圧する従動ローラ押圧装置１２を、トラス２の内部２ａに配置されたベース１０に対して脱着させる際に用いられ、レバー１２ｂの先端部１２ｂ１の上部に当接する第１平坦部１３ａと、ばね１２ｄの下端部を受ける下部ばね受１２ｆの下部に当接可能な第２平坦部１３ｂと、これらの第１平坦部１３ａと第２平坦部１３ｂとに連設される立設部１３ｃを備え、第２平坦部１３ｂに、押しボルト１２ｅとの干渉を避ける切り欠き部１３ｄを形成してある。【選択図】図３
2015221699.tif 000002
【特許請求の範囲】
【請求項１】
トラスの内部に配置されるベースに取付けられ、ハンドレール駆動装置に含まれる従動ローラをハンドレールに押圧する従動ローラ押圧装置を備え、前記従動ローラ押圧装置は、前記従動ローラを保持し、上部ばね受を形成する先端部を有し、支軸を中心に回動可能なレバーと、前記従動ローラが前記ハンドレールを押圧するように前記レバーを付勢するばねと、前記レバーの前記上部ばね受を形成する先端部と対向して配置され、前記ばねの下端部を受ける下部ばね受と、前記下部ばね受を押圧する押しボルトと、前記押しボルトに螺合し、前記押しボルトで前記下部ばね受を押圧した状態で前記押しボルトをロックするロックナットとを有する乗客コンベアにあって、
前記従動ローラ押圧装置を、前記ベースに対して脱着させる際に用いられる従動ローラ押圧装置の脱着サポート治具において、
前記レバーの上部に当接する第１当接部と、前記下部ばね受の下部に当接可能な第２当接部と、前記第１当接部と前記第２当接部とに連設される連設部とを備え、
前記第２当接部に、前記押しボルトとの干渉を避ける切り欠き部を形成したことを特徴とする従動ローラ押圧装置の脱着サポート治具。
【請求項２】
請求項１に記載の従動ローラ押圧装置の脱着サポート治具において、
前記第１当接部を、前記レバーの前記先端部の上部に当接させたことを特徴とする従動ローラ押圧装置の脱着サポート治具。
【請求項３】
請求項２に記載の従動ローラ押圧装置の脱着サポート治具において、
前記第１当接部は第１平坦部から成り、前記第２当接部は第２平坦部から成り、前記連設部は上下方向に延設される立設部から成り、
前記第１平坦部と、前記第２平坦部と、前記立設部とを含めて、側面視の全体形状をコ字状に形成したことを特徴とする従動ローラ押圧装置の脱着サポート治具。
【請求項４】
請求項１〜３のいずれか１項に記載の従動ローラ押圧装置の脱着サポート治具において、
前記乗客コンベアは、エスカレータから成ることを特徴とする従動ローラ押圧装置の脱着サポート治具。
【発明の詳細な説明】
【技術分野】
【０００１】
本発明は、乗客コンベアに備えられ、ハンドレール駆動装置に含まれる従動ローラをハンドレールに押圧する従動ローラ押圧装置を、脱着させる際に用いられる従動ローラ押圧装置の脱着サポート治具に関する。
【背景技術】
【０００２】
乗客コンベア例えばエスカレータには、ハンドレールを駆動させるハンドレール駆動装置が備えられている。このハンドレール駆動装置は、ハンドレール駆動チェーンを介して駆動する駆動ローラと、従動ローラと、この従動ローラをばね力を介してハンドレールに押圧する従動ローラ押圧装置とを含んでいる。ハンドレールは、駆動ローラと従動ローラとによって挟まれるように配置されて循環移動する。
【０００３】
従動ローラの材質はゴムであることから、経年劣化や磨耗による径減少に伴い、交換が必要になる。また、従動ローラ押圧装置が、従動ローラを保持し、回動可能なレバーを含むものにあっては、レバーの支軸と、この支軸を受ける軸受との固渋を防ぐために、これらの支軸と軸受との間に注油が必要になる。
【０００４】
レバーを有する従動ローラ押圧装置にあって、交換や注油を行う際には、従来、従動ローラ押圧装置に含まれ、従動ローラをハンドレールに押圧するようにレバーを付勢するばねを押す押しボルトを緩めて、ばねと、このばねを受けるばね受を取り外してから、従動ローラを保持するレバーを取り外すようにしている。
【０００５】
なお、エスカレータのハンドレール駆動装置に備えられる従動ローラ押圧装置を脱着する技術が特許文献１に開示されている。この特許文献１に開示された技術は、本発明が対象としているような従動ローラを保持するレバー、このレバーを付勢するばね、及びばねを受けるばね受を備えた構成ではないが、ハンドレールを押圧するように従動ローラを付勢する板ばねを拘束する拘束治具を備えた構成となっている。従動ローラを取り外す際には、拘束治具によって板ばねを、ばね力の影響を及ぼさせないように拘束し、これによって従動ローラの簡単な取り外しを可能としたものである。
【先行技術文献】
【特許文献】
【０００６】
【特許文献１】特開２００７−７００５１号公報
【発明の概要】
【発明が解決しようとする課題】
【０００７】
ところで従来、従動ローラ押圧装置が、従動ローラを保持するレバー、このレバーを付勢するばね、及びばねを受けるばね受を備えた構成のものでは、従動ローラを取り外す際に、ばね、あるいはばね受が誤ってトラスの内部に落下してしまうことがあった。このようなばね、あるいはばね受の落下を生じると、従動ローラの脱着作業が煩雑になり、作業能率が著しく低下してしまう。エスカレータの場合には傾斜部を有することから、傾斜部にばね、あるいはばね受が落下した場合には、作業がより煩雑になってしまう。
【０００８】
なお、特許文献１には、従動ローラを保持するレバー、このレバーを付勢するばね、及びばねを受けるばね受については開示が無い。したがって、レバーを付勢するばね、及びばねを受けるばね受を備えた従動ローラ押圧装置の脱着時のばね、ばね受のトラスの内部への落下を防止する技術についても、何ら開示がなされていない。
【０００９】
本発明は、前述した従来技術における実情からなされたもので、その目的は、従動ローラを保持するレバー、このレバーを付勢するばね、及びばねを受けるばね受を有する従動ローラ押圧装置の脱着作業に際し、ばね及びばね受のトラスの内部への落下を防止することができる従動ローラ押圧装置の脱着サポート治具を提供することにある。
【課題を解決するための手段】
【００１０】
前記目的を達成するために、本発明に係る従動ローラ押圧装置の脱着サポート治具は、トラスの内部に配置されるベースに取付けられ、ハンドレール駆動装置に含まれる従動ローラをハンドレールに押圧する従動ローラ押圧装置を備え、前記従動ローラ押圧装置は、前記従動ローラを保持し、上部ばね受を形成する先端部を有し、支軸を中心に回動可能なレバーと、前記従動ローラが前記ハンドレールを押圧するように前記レバーを付勢するばねと、前記レバーの前記上部ばね受を形成する先端部と対向して配置され、前記ばねの下端部を受ける下部ばね受と、前記下部ばね受を押圧する押しボルトと、前記押しボルトに螺合し、前記押しボルトで前記下部ばね受を押圧した状態で前記押しボルトをロックするロックナットとを有する乗客コンベアにあって、前記従動ローラ押圧装置を、前記ベースに対して脱着させる際に用いられる従動ローラ押圧装置の脱着サポート治具において、前記レバーの上部に当接する第１当接部と、前記下部ばね受の下部に当接可能な第２当接部と、前記第１当接部と前記第２当接部とに連設される連設部とを備え、前記第２当接部に、前記押しボルトとの干渉を避ける切り欠き部を形成したことを特徴としている。
【発明の効果】
【００１１】
本発明に係る従動ローラ押圧装置の脱着サポート治具は、従動ローラを保持するレバー、このレバーを付勢するばね、及びばねを受けるばね受を有する従動ローラ押圧装置の脱着作業に際し、ばね及びばね受を取り外すことなく脱着作業を行うことができる。すなわち本発明は、従動ローラ押圧装置の脱着作業に際し、従来におけるようなレバーを付勢するばね、ばね受のトラスの内部への落下を防止することができる。これにより従来よりも安定した、能率の良い従動ローラ押圧装置の脱着作業を実現させることができる。
【図面の簡単な説明】
【００１２】
【図１】本発明に係る脱着サポート治具の一実施形態が用いられる従動ローラ押圧装置が備えられた乗客コンベアの一例として挙げたエスカレータを示す要部側面図である。
【図２】図１に示したエスカレータに備えられる従動ローラ押圧装置の配設部分を示す側面図である。
【図３】本実施形態に係る従動ローラ押圧装置の脱着サポート治具を示す斜視図である。
【図４】本実施形態に係る脱着サポート治具を用いて従動ローラ押圧装置をトラスの内部に配置されるベースから離脱させる際の動作を示す図で、脱着サポート治具を取り付けた状態を示す斜視図である。
【図５】本実施形態に係る脱着サポート治具を用いて従動ローラ押圧装置をトラスの内部に配置されるベースから離脱させる際の動作を示す図で、図４に示す状態から押しボルト、ロックナット、及び支軸を取り外した状態を示す斜視図である。
【図６】本実施形態に係る脱着サポート治具を用いて従動ローラ押圧装置をトラスの内部に配置されるベースから離脱させる際の動作を示す図で、図５に示す状態から従動ローラ押圧装置を構成するレバー、ばね、及び下部ばね受けと、本実施形態に係る脱着サポート治具とを、従動ローラとともに取り外した状態を示す斜視図である。
【発明を実施するための形態】
【００１３】
以下、本発明に係る従動ローラ押圧装置の脱着サポート治具の実施の形態を図面に基づいて説明する。
【００１４】
本発明に係る脱着サポート治具の一実施形態が用いられる従動ローラ押圧装置が備えられる乗客コンベアは、例えば図１に示すようなエスカレータ１である。このエスカレータ１は、上下階の梁間に設置されて傾斜部を形成するトラス２と、このトラス２に設けられた図示しない駆動レールに沿って循環移動する図示しない踏段と、この踏段と同期して循環移動するハンドレール３とを備えている。
【００１５】
トラス２の上部機械室には、踏段とハンドレール３を駆動する駆動モータ４を配置してある。駆動モータ４の駆動力は、ドライビングチェーン５、駆動スプロケット６、ハンドレール駆動チェーン７、及びダブルスプロケット８を介してハンドレール駆動装置９に伝達される。
【００１６】
ハンドレール駆動装置９は、図２に示すように、トラス２の内部２ａに配置されるベース１０と、このベース１０に装着され、ハンドレール駆動チェーン７を介して前述した駆動モータ４の駆動力が伝えられる駆動ローラ１１と、この駆動ローラ１１との間でハンドレール３を挟むように配置される従動ローラ１２ｃと、この従動ローラ１２ｃをハンドレール３に押圧する従動ローラ押圧装置１２とを含んでいる。
【００１７】
従動ローラ押圧装置１２は、従動ローラ１２ｃを保持し、上部ばね受を形成する先端部１２ｂ１を有し、支軸１２ａを中心に回動可能なレバー１２ｂを含んでいる。従動ローラ１２ｃは、レバー１２ｂに取り付けられる軸１２ｃ１を中心に回動自在に構成されている。また、この従動ローラ押圧装置１２は、従動ローラ１２ｃがハンドレール３を押圧するようにレバー１２ｂを付勢するばね１２ｄと、レバー１２ｂの上部ばね受を形成する先端部１２ｂ１と対向して配置され、ばね１２ｄの下端部を受ける下部ばね受１２ｆとを含んでいる。また、この従動ローラ押圧装置１２は、ベース１０に取り付けられたブラケット１４ａ，１５ａに形成したねじ穴１４ｂ（図４，５に示す）等にそれぞれ螺合し、下部ばね受１２ｆを押し上げる押しボルト１２ｅと、この押しボルト１２ｅに螺合し、押しボルト１２ｅで下部ばね受１２ｆを押圧した状態で押しボルト１２ｅの動きをロックするロックナット１２ｇとを含んでいる。
【００１８】
図２に示すように例えば、エスカレータ１の片側では、駆動ローラ１１は３つ、従動ローラ１２ｃも３つ設けてある。エスカレータ１の両側を含めると、駆動ローラ１１は６つ、従動ローラ１２ｃも６つ設けてある。従動ローラ１２ｃの数に応じて、従動ローラ押圧装置１２も全体で６つ設けてある。
【００１９】
従動ローラ押圧装置１２を、ベース１０に対して着脱させる際に用いられる本実施形態に係る脱着サポート治具１３は、図３に示すように、レバー１２ｂの上部、例えばレバー１２ｂの先端部１２ｂ１の上部に当接する第１当接部、例えば第１平坦部１３ａと、下部ばね受１２ｆの下部に当接可能な第２当接部、例えば第２平坦部１３ｂと、第１平坦部１３ａと第２平坦部１３ｂとを連設させる連設部、例えば上下方向に延設される立設部１３ｃとを含んでいる。第２平坦部１３ｂには、押しボルト１２ｅとの干渉を避ける切り欠き部１３ｄを形成してある。また、脱着サポート治具１３は、第１平坦部１３ａと、第２平坦部１３ｂと、立設部１３ｃとを含めて、側面視の全体形状をコ字形状に形成してある。
【００２０】
次に、図４〜６に基づいて、前述のように構成した本実施形態に係る脱着サポート治具１３を用いて、従動ローラ押圧装置１２をトラス２の内部２ａに配置されるベース１０から取り外す動作を説明する。
【００２１】
はじめに、図４に示すように、例えば脱着サポート治具１３の立設部１３ｃを把持して、第１平坦部１３ａがレバー１２ｂの先端部１２ｂ１上に当接するように、また、第２平坦部１３ｂの切り欠き部１３ｄ内に押しボルト１２ｅが収容されるようにして、すなわち押しボルト１２ｅを切り欠き部１３ｄ内において相対的に移動させるようにして、また、第２平坦部１３ｂが下部ばね受１２ｆの下方に位置するように、脱着サポート治具１３をベース１０側に向けて押し込む。
【００２２】
この状態でロックナット１２ｇを緩め、押しボルト１２ｅを回転させ、押しボルト１２ｅを例えばブラケット１４ａのねじ穴１４ｂから離脱させる。これにより、押しボルト１２ｅとロックナット１２ｇがブラケット１４ａから取り出され、ばね１２ｄが例えばわずかに伸長し、下部ばね受１２ｆがばね１２ｄのばね力によって第２平坦部１３ｂに押圧される。したがって、ばね１２ｄと下部ばね受１２ｆは、レバー１２ｂの先端部１２ｂ１と脱着サポート治具１３の第２平坦部１３ｂとによって挟まれるようにして、レバー１２ｃと脱着サポート治具１３とに一体的に保持された状態となる。
【００２３】
次に、図５に示すように、レバー１２ｂの支軸１２ａを固定していた図示しないナットを緩めて、支軸１２ａを抜き取る。
【００２４】
この状態で、図６に示すように、従動ローラ１２ｃを保持したレバー１２ｂと、脱着サポート治具１３と、ばね１２ｄと、下部ばね受１２ｆとを含む一体構造物を取り外す。これによって、従動ローラ１２ｃを新しい従動ローラ１２ｃに交換する作業が可能となる。また例えば、支軸１２ａの軸受１２ｈへの注油作業が可能となる。以上の動作は、ブラケット１４ａ側について説明したが、ブラケット１５ａ側についても同様の動作が行われる。
【００２５】
また、新しい従動ローラ１２ｃが取り付けられたレバー１２ｂと、脱着サポート治具１３と、ばね１２ｄと、下部ばね受１２ｆとを含む一体構造物をベース１０に取り付ける動作は、前述の取り外し時の動作と逆の手順で行う。
【００２６】
すなわち、図６に示す一体構造物を、図５に示すように、ベース１０側の所定の箇所に配置し、レバー１２ｂの支軸１２ａを軸受１２ｈに挿入し、図示しないナットによって支軸１２ａを固定する。
【００２７】
次に、ロックナット１２ｇを装着した状態の押しボルト１２ｅをブラケット１４ａのねじ穴１４ｂに螺合させ、脱着サポート治具１３の切り欠き部１３ｄから挿入し、下部ばね受１２ｆに当たるまで押し込む。ここで、押しボルト１２ｅの押し込み量を調整して、ばね１２ｄのばね力を所定の設定値に保つ。このようにばね１２ｄのばね力が所定の設定値となった状態で、ロックナット１２ｇをブラケット１４ａに当接するように締め付けて押しボルト１２ｅを固定する。これにより、従動ローラ１２ｃを含めた前述した一体構造物のベース１０への取り付けが終了する。
【００２８】
以上のように構成した本実施形態によれば、従動ローラ１２ｃを保持するレバー１２ｂ、このレバー１２ｂを付勢するばね１２ｄ、このばね１２ｄを受ける下部ばね受１２ｆ、及び上部ばね受を形成するレバー１２ｂの先端部１２ｂ１を有する従動ローラ押圧装置１２の脱着作業に際し、ばね１２ｄ及び下部ばね受１２ｆを取り外すことなく脱着作業を行うことができる。すなわち本実施形態は、従動ローラ押圧装置１２の脱着作業に際し、ばね１２ｄ及び下部ばね受１２ｆのトラス２の内部２ａへの落下を防止することができる。これにより安定した、能率の良い従動ローラ押圧装置１２の脱着作業を実現させることができる。
【００２９】
また、本実施形態は、従動ローラ１２ｃを保持したレバー１２ｂを取り外すために脱着サポート治具１３をベース１０側に挿入し、押しボルト１２ｅを緩めた際に、ばね１２ｄがわずかに伸長して、下部ばね受１２ｆが脱着サポート治具１３の第２平坦部１３ｂに当接する状態となる。このときのばね１２ｄの伸長変化量を小さく抑えることができる。したがって、新しい従動ローラ１２ｃを保持したレバー１２ｂ、脱着サポート治具１３、ばね１２ｄ、及び下部ばね受１２ｆを含む一体構造物を、ベース１０側に挿入し、押しボルト１２ｅを回転させて下部ばね受１２ｆを押し上げて行うばね１２ｄのばね力の調整作業は、前述したばね１２ｄの伸長変化量を略ゼロにする調整作業でよい。これにより本実施形態は、ばね１２ｄのばね力の調整作業を比較的容易に行うことができる。
【符号の説明】
【００３０】
１    エスカレータ（乗客コンベア）
２    トラス
２ａ  内部
３    ハンドレール
９    ハンドレール駆動装置
１０    ベース
１１    駆動ローラ
１２    従動ローラ押圧装置
１２ａ  支軸
１２ｂ  レバー
１２ｂ１  先端部
１２ｃ  従動ローラ
１２ｄ  ばね
１２ｅ  押しボルト
１２ｆ  下部ばね受
１２ｇ  ロックナット
１２ｈ  軸受
１３    脱着サポート治具
１３ａ  第１平坦部（第１当接部）
１３ｂ  第２平坦部（第２当接部）
１３ｃ  立設部（連設部）
１３ｄ  切り込み部
【図１】
2015221699.tif 000003
【図２】
2015221699.tif 000004
【図３】
2015221699.tif 000005
【図４】
2015221699.tif 000006
【図５】
2015221699.tif 000007
【図６】
2015221699.tif 000008